(57)【要約】      （修正有）【課題】上フラップを外向きに折り返して開いたままの状態で固定でき、使いやすく、強度の劣化もなく、低コストで容易に製造できる段ボール製の包装箱を提供する。【解決手段】段ボール製の包装箱１の上コーナー部６１ａ〜ｄにおいて、上フラップ（第１上フラップ２１〜第４上フラップ）と、側面（第１側面１１〜第４側面、糊しろ面）とを固定するための固定部６９ａを存在させる。この固定部は、コーナー部を囲むように多角形状をした新たな罫線を有するものであり、上フラップに形成された谷折の罫線と、側面に形成された山折の罫線とを含めて構成されており、これらの罫線は圧縮加工により形成されている。【選択図】図１
0003208118.tif 000002
【実用新案登録請求の範囲】
【請求項１】
上フラップを、外向きに折り返して開いたままの状態で固定することができる包装箱であって、
前記包装箱の上コーナー部には、上フラップと側面とで形成される固定部が存在しており、
該固定部は、
前記上コーナー部を囲むように、前記上フラップと前記側面に形成された新たな罫線によるものである
ことを特徴とする包装箱。
【請求項２】
上フラップを、外向きに折り返して開いたままの状態で固定することができる包装箱であって、
前記包装箱の上コーナー部には、上フラップと側面とで形成される固定部が存在しており、
該固定部は、
前記上コーナー部を囲むように、前記上フラップと前記側面に形成された多角形状をした新たな罫線によるものである
ことを特徴とする包装箱。
【請求項３】
前記上フラップの新たな罫線は、谷折の罫線であり、
前記側面の新たな罫線は、山折の罫線である
ことを特徴とする請求項１又は請求項２に記載の包装箱。
【請求項４】
前記新たな罫線は、圧縮加工により形成されている
ことを特徴とする請求項１乃至請求項３のいずれか一項に記載の包装箱。
【請求項５】
前記包装箱は、段ボール製である
ことを特徴とする請求項１乃至請求項４のいずれか一項に記載の包装箱。
【考案の詳細な説明】
【技術分野】
【０００１】
本考案は、上フラップを外向きに折り返して、開いたままの状態で固定可能な構造にした包装箱に関するものである。
【背景技術】
【０００２】
段ボール、厚紙及びプラスチック材などを用いる包装箱は、トムソン刃などを用いて一枚の薄材を打抜加工をした後に接着剤を用いたり、粘着テープを用いたりするなどの手法で固着して組み立てる手法が一般的に用いられている。
【０００３】
例えば、図４の包装箱の展開図において、左端の糊しろ面１９と、右端の第４側面１７とを接着剤などで固着して断面が略長方形の筒状にした後に、粘着テープなどを用いて下フラップ（第１下フラップ３１〜第４下フラップ３７）を固着して包装箱１を製造している（図４、図５）。
【０００４】
これらの包装箱１に、必要な内容物を上方から詰めた後に、第２上フラップ２３と第４上フラップ２７を先に内向き折込み、第１上フラップ２１と第３上フラップ２５を内向き折込んで突き合わせた状態にし、例えば、粘着テープなどを用いて固着した状態で市場に出荷している（図５）。
【０００５】
なお、包装箱１に商品などの必要な内容物を詰める際には、上フラップ（第１上フラップ２１等）を外向きに折り返している。しかし、上フラップ（第１上フラップ２１等）と側面（第１側面１１等）とが固定されていないのでフラフラと動き、上フラップのいずれかが閉じてしまうような場合が多く認められており（図５）、内容物の詰込み作業にこれらの上フラップが邪魔になるという問題点があった。
【０００６】
そこで、包装箱の上フラップを開いた状態で側面（第１側面１１〜第４側面１７）に固定するための開蓋保持具を使用する考案が開示されている（特許文献１）。また、包装箱の上フラップや側面などの一部にトムソン刃などにより複数の切込みを入れることによって、上フラップと側面とを固定できる構造にする発明も開示されている（特許文献２、特許文献３）。これらの考案や発明を用いると、上フラップを開いた状態で側面に固定できるので内容物の詰込み作業を容易にすることができる。
【先行技術文献】
【特許文献】
【０００７】
【特許文献１】実用新案登録第３１０４７９１号公報
【特許文献２】特開２００３−２８５８２８号公報
【特許文献３】特開２００８−２５４７５０号公報
【考案の概要】
【考案が解決しようとする課題】
【０００８】
しかしながら、上述した特許文献１に記載されている開蓋保持具は、使用する材料、例えば、段ボールなどの厚みに応じてあらかじめ多品種を準備する必要がある。したがって、使いにくく、管理が煩わしいという問題点や、開蓋保持具が包装箱内に紛れ込む場合があるなどの問題点があった。
【０００９】
また、特許文献２及び特許文献３に記載されている手法を用いると、段ボールなどの薄板材の一部に切込みを入れているので包装箱の強度が劣化するという問題点や、加工用のトムソン刃が複雑な構造になったり、複数回に分けて加工する必要性があるなどの理由からコスト高になるという問題点があった。
【００１０】
本考案は、上述した問題点を解決するものであり、使いやすく、強度の劣化もなく、低コストで容易に製造できる包装箱を提供するものである。
【課題を解決するための手段】
【００１１】
本考案は、上述したような従来からの問題点を解決するものである。
【００１２】
請求項１に記載された考案は、
上フラップを、外向きに折り返して開いたままの状態で固定することができる包装箱であって、
前記包装箱の上コーナー部には、上フラップと側面とで形成される固定部が存在しており、
該固定部は、
前記上コーナー部を囲むように、前記上フラップと前記側面に形成された新たな罫線によるものである
ことを特徴としている。
【００１３】
請求項２に記載した考案は、
上フラップを、外向きに折り返して開いたままの状態で固定することができる包装箱であって、
前記包装箱の上コーナー部には、上フラップと側面とで形成される固定部が存在しており、
該固定部は、
前記上コーナー部を囲むように、前記上フラップと前記側面に形成された多角形状をした新たな罫線によるものである
ことを特徴としている。
【００１４】
請求項１及び請求項２に記載の考案によると強度の劣化もなく、低コストで容易に製造できる包装箱を提供することができる。
【００１５】
請求項３に記載した考案は、請求項１又は請求項２に記載の包装箱において、
前記上フラップの新たな罫線は、谷折の罫線であり、
前記側面の新たな罫線は、山折の罫線である
ことを特徴としている。
【００１６】
請求項３に記載の考案による包装箱を用いると、固定部を形成する際に折り曲げやすくすることができる。
【００１７】
請求項４に記載の考案は、請求項１乃至請求項３のいずれか一項に記載の包装箱であって、
前記新たな罫線は、圧縮加工により形成されている
ことを特徴としている。
【００１８】
請求項４に記載の考案によると、トムソン刃などによる切断と同時に新たな罫線を形成できるので包装箱を容易に製造することができる。
【００１９】
請求項５に記載の考案は、請求項１乃至請求項４のいずれか一項に記載の包装箱であって、
前記包装箱は、段ボール製である
ことを特徴としている。
【００２０】
請求項５に記載の考案によると、従来の製造設備にわずかな変更を加えるだけなので段ボール製の包装箱を安価に製造することができる。
【考案の効果】
【００２１】
本考案を用いることによって使いやすく、強度の劣化もなく、低コストで容易に製造できる包装箱を提供することができる。
【図面の簡単な説明】
【００２２】
【図１】本考案に係わる包装箱の概略図である。
【００２３】
（ａ）全体図である。
【００２４】
（ｂ）固定部６９ａ近傍の拡大図である。
【図２】固定部６９ａ近傍の展開図である。
【図３】包装箱の使用時の概略図である。
【００２５】
（ａ）組み立てられた直後の包装箱の概略図である。
【００２６】
（ｂ）包装箱のコーナー部６１ａ〜６１ｄを内側に押し込んで固定部６
９ａ〜ｄを形成した状態の概略図である。
【図４】一般的な包装箱の展開図である。
【図５】一般的な包装箱の概略図である。
【考案を実施するための形態】
【００２７】
本考案に係わる包装箱の実施の形態について図１〜図５を用いて詳細に説明する。本実施例で用いた包装箱は、製造が容易な段ボールを用いるとともに、一般的な形状をしているものであり、その展開図を図４に示す。図４には、市販されている厚みが約３ｍｍの段ボールをトムソン刃を用いて打抜き加工をして製造された包装箱１の展開図３の例が示されている。
【００２８】
罫線部分（第１罫線４１〜第４罫線４７、上罫線５１、下罫線５３）は、段ボールを折り曲げやすくするものであり、トムソン刃を用いる打抜き加工と同時に圧縮加工によって形成することができる（図４）。
【００２９】
図４において、左端の糊しろ面１９と、右端の第４側面１７とを接着剤にて固着して断面が略長方形をした筒状体を形成する。次に、第２下フラップ３３と第４下フラップ３７を内向きに折り曲げた後に、第１下フラップ３１と第３下フラップ３５とを内向きに折り曲げて突き合わせた状態とし、図示されていない粘着テープを用いて固着して包装箱１を製造した（図５）。
＜本考案の包装箱の詳細な構造＞
本考案は、上フラップ（第１上フラップ２１〜第４上フラップ２７）を外向きに開いた状態で側面と固定できる構造を特徴とするものである（図１）。
【００３０】
すなわち、包装箱１の上面のコーナー部（上コーナー部６１ａ〜６１ｄ）において、新たに形成した罫線に沿って略中央に位置する側面（第１側面１１〜第４側面１７、糊しろ面１９）と、上フラップ（第１上フラップ２１〜第４上フラップ２７）とを内側に押込むことによって固定することができるようにしたものである。以下において、上コーナー部６１ａについて説明をするが、その他の上コーナー部６１ｂ〜６１ｄについても同様の構造なので詳細な説明は省略する。
【００３１】
本考案では、上コーナー部６１ａ（図２において、上罫線５１と第１罫線が交わる部分）において、側面部分（図２において、第１側面１１と第２側面１３）と上フラップ（図２において、第１上フラップ２１と第２上フラップ２３）に、折り曲げやすくするための、少なくとも４本の罫線を新たに形成したものである。
【００３２】
ここで、上コーナー部の側面部分（図２において、第１側面１１と第２側面１３）には山折罫線６５ａ，ｂを、上コーナー部の上フラップ（図２において、第１上フラップ２１と第２上フラップ２３）には谷折罫線６７ａ，ｂを設けるようにした。すなわち、上コーナー部を囲むように略四角形、例えば、一辺が３０〜５０ｍｍ程度の菱形状をした４本の新たな罫線を形成した。
【００３３】
この菱形状をした４本の罫線は、上述した罫線部分（図４、第１罫線４１〜第４罫線４７、上罫線５１、下罫線５３）と同時に、段ボールを圧縮加工する手段によって形成することができる。したがって、本考案による包装箱は安価なコストで製造することができる。
【００３４】
なお、図２における菱形状をした４本の新たな罫線（山折罫線６５ａ，ｂ、谷折罫線６７ａ，ｂ）は、上コーナー部を折り曲げやすくするために形成したものである。したがって、図２において直線状をした４本の新たな罫線（山折罫線６５ａ，ｂ、谷折罫線６７ａ，ｂ）を図示しているが、上罫線５１と第１罫線が交わる上コーナー部６１ａ。）に対して外側方向に凸型の曲線状であったり、内側方向に凹型の曲線状であったり、罫線の一部分が連続していなくてもほとんど問題がないことがわかった。
＜本考案の包装箱の使用方法＞
本考案の包装箱１の使用方法について図３及び図４を用いて説明する。図４の展開図に示される左端の糊しろ面１９と第４側面１７の右端とを接着剤にて固着して断面が略長方形をした筒状体を形成する。次に、第２下フラップ３３と第４下フラップ３７を内向きに折り曲げた後に、第１下フラップ３１と第３下フラップ３５を内向きに折り曲げて突き合わせた状態にし、図示されていない粘着テープで固着して包装箱１を製造する（図３（ａ））。
【００３５】
包装箱１の第１上フラップ２１と第２上フラップ２３とを開いた状態にし、上コーナー部６１ａを、例えば、親指で上方から内側に押込むことによって固定部６９ａを形成することができる。この固定部６９ａによって、第１上フラップ２１と第２上フラップ２３とを、外向きに折り返して開いたままの状態で固定をすることができる（図３（ｂ））。
【００３６】
固定部６９ａの詳細な構造を図１（ａ），（ｂ）に示す。上罫線５１と第１罫線が交わる上コーナー部６１ａを囲むように、固定部６９ａには、あらかじめ新たな４本の罫線（山折罫線６５ａ，ｂ、谷折罫線６７ａ，ｂ）で形成されている菱形状をした圧縮加工部を有しているので、それらの罫線に沿って折り曲げやすくすることができる。
【００３７】
なお、固定部６９ａの新たな罫線の形状として、五角形などの多角形にすることも可能であるし、その一部分が切れていても（上コーナー部６１ａを、罫線によって連続して完全に囲まれていなくても）、取扱上はほとんど問題がないこともわかった。
【００３８】
また、固定部６９ａは、罫線のみで形成されており、切込みなどがされていないので包装箱の強度が劣化することもない。加えて、これらの罫線部分は、トムソン刃を用いて打抜き加工をする際に、第１罫線４１〜第４罫線、上罫線５１、下罫線５３などと同時に圧縮加工により形成することができるので安価なコストで製造することができる。なお、第３上フラップ２５や第４上フラップ２７と側面との固定部についても同様なので詳細な説明は省略する。
【００３９】
上述した実施例では、４箇所の上コーナー部（６１ａ〜ｄ）のすべてを囲むように固定部６９ａ〜ｄを存在させているが、対角線上に２箇所の上コーナー部６１ａ、ｃに固定部６９ａ、ｃを存在させたり、上コーナー部６１ａ〜ｄのいずれか１箇所に固定部６９ａ〜ｄを存在させたりすることもできる。
【００４０】
加えて、上述した実施例では、薄材として製造が容易な段ボールを用いた場合について説明したが、プラスチック製の薄材や厚紙などを用いる包装箱についても本考案を用いることができる。また、水平方向の断面が略長方形をした一般的な包装箱の例で説明をしたが、断面が略三角形や略五角形などの多角形状をした包装箱についても本考案を同様に使用することができることは言うまでもない。
【産業上の利用可能性】
【００４１】
本考案は、段ボールなどの薄材を用いる包装箱に使用することができる。
【符号の説明】
【００４２】
１  包装箱
３  展開図
５  隙間部
１１  第１側面
１３  第２側面
１５  第３側面
１７  第４側面
１９  糊しろ面
２１  第１上フラップ
２３  第２上フラップ
２５  第３上フラップ
２７  第４上フラップ
３１  第１下フラップ
３３  第２下フラップ
３５  第３下フラップ
３７  第４下フラップ
４１  第１罫線
４３  第２罫線
４５  第３罫線
４７  第４罫線
５１  上罫線
５３  下罫線
６１ａ，ｂ，ｃ，ｄ  上コーナー部
６３ａ，ｂ，ｃ，ｄ  下コーナー部
６５ａ，ｂ，ｃ，ｄ  山折罫線
６７ａ，ｂ，ｃ，ｄ  谷折罫線
６９ａ，ｂ，ｃ，ｄ  固定部
１００  使用者の指
【図１】
0003208118.tif 000003
【図２】
0003208118.tif 000004
【図３】
0003208118.tif 000005
【図４】
0003208118.tif 000006
【図５】
0003208118.tif 000007